(57)【要約】【課題】前向き位置と後向き位置とに回転可能な回転シートの回転範囲を１８０度に規制する。【解決手段】走行機体側の支持台１３と回転シート５を設けた旋回台１５のいずれか一方に１個の規制部材２１を設置し、いずれか他方に、旋回軸である縦軸を挟んだ反対側にそれぞれ当接部材２２を設置する。規制部材２１が１対の当接部材２２のいずれか一方に当接することにより、回転シート５の回転範囲が１８０度に規制される。【選択図】図３
2014015065.tif 000002
【特許請求の範囲】
【請求項１】
走行機体側に配置された支持台に、縦軸により回転自在に支持された旋回台に設けた回転シートを備えた作業車両において、
前記支持台及び旋回台のいずれか一方に固定された１個の規制部材と、
前記支持台及び旋回台のいずれか他方に、前記縦軸を挟んだ反対側に固定された１対の当接部材と、を備え、
前記規制部材が前記１対の当接部材のいずれか一方に当接することにより、前記回転シートの回転範囲が１８０度に規制されることを特徴とする作業車両。
【請求項２】
前記走行機体と前記支持台との間に配置され、前記回転シートを、前方側の低位置と後方側の高位置とに移動自在に支持する支持装置と、
前記旋回台に配置され、前記回転シートを前向き位置又は後向き位置に固定された状態を解除する操作具と、を備え、
前記回転シートを、前記後方側の高位置にある状態で前記操作具の操作により前記前向き位置と後向き位置とに回転可能とする請求項１記載の作業車両。
【発明の詳細な説明】
【技術分野】
【０００１】
本発明は、バックホーを取り付けたトラクタのように機体前後方向に操作部を有する作業車両に係り、詳しくは回転することにより前後方向の操作を行うことができる回転シートに関する。
【背景技術】
【０００２】
機体前方にフロントローダを設け、機体後方にバックホーを設けたトラクタ等の作業車両が知られている。該作業車両には、前向き操作及び後向き操作共用の１個の回転シートが設けられており、該回転シートは、前方向き位置と後方向き位置とに回転自在に、かつリンク機構等の支持装置により、後向き位置にあっては前向き位置に対して高い位置になるように支持されている（特許文献１，２参照）。
【０００３】
従来、上記回転シートは、支持装置に設けられた支持台に、縦軸により回転自在に支持された旋回台に設けられており、かつ旋回台と支持台との間を１８０度毎又は９０度毎に回転位置を規制する係合部材が配置され、旋回台に設けられた操作具により上記係合部材を操作して、回転シートは、前向き位置及び後向き位置に位置決めされる。前向き位置に固定された回転シートに着座した操作者により、トラクタの走行及びフロントローダが操作され、後向き位置に固定された回転シートに着座した操作者により、バックホーが操作される。また、回転シートに操作者が着座したことをシートスイッチにより検知して、エンジン始動が許可される。
【先行技術文献】
【特許文献】
【０００４】
【特許文献１】特開平７−２７７０５３号公報
【特許文献２】特許第３８０８７２９号公報
【発明の概要】
【発明が解決しようとする課題】
【０００５】
上記従来の回転シートは、規制部材があっても、３６０度左右どちらの方向にも回転可能であり、走行機体からの回転シートに配線された上記シートスイッチ用ワイヤを捩って、ワイヤを破損することがある。また、回転シートを反転位置にて操作具によりロックする場合、係合部材を前向き位置又は後向き位置に合せて係合する操作が面倒になっている。更に、回転シートの回転方向によっては、回転シートに取り付けられたスライドレバーやシートベルト等の部品が走行機体に配置された操作レバーに接触する可能性があり、またこれを避けるためには、回転シート及び操作レバーの配置が制限されることになる。
【０００６】
そこで、本発明は、回転シートの回転範囲を１８０度に規制することにより、上述した課題を解決した作業車両を提供することを目的とするものである。
【課題を解決するための手段】
【０００７】
本発明は、走行機体（３）側に配置された支持台（１３）に、縦軸（１４）により回転自在に支持された旋回台（１５）に設けた回転シート（５）を備えた作業車両において、
前記支持台（１３）及び旋回台（１５）のいずれか一方に固定された１個の規制部材（２１）と、
前記支持台及び旋回台のいずれか他方に、前記縦軸を挟んだ反対側に固定された１対の当接部材（２２）と、を備え、
前記規制部材（２１）が前記１対の当接部材（２２）のいずれか一方に当接することにより、前記回転シートの回転範囲が１８０度に規制されることを特徴とする。
【０００８】
好ましくは、前記走行機体（３）と前記支持台（１３）との間に配置され、前記回転シートを、前方側の低位置と後方側の高位置とに移動自在に支持する支持装置（１２）と、
前記旋回台（１５）に配置され、前記回転シート（５）を前向き位置又は後向き位置に固定された状態を解除する操作具（２０）と、を備え、
前記回転シート（５）を、前記後方側の高位置にある状態で前記操作具（２０）の操作により前記前向き位置と後向き位置とに回転可能とする。
【０００９】
なお、上記カッコ内の符号は、図面と対照するためのものであるが、これにより特許請求の範囲に記載の構成に何等影響を及ぼすものではない。
【発明の効果】
【００１０】
請求項１に係る本発明によると、走行機体に対する回転シートの回転範囲が１８０度に規制されているので、回転シートから走行機体に導かれるシートスイッチ等のワイヤが１８０度以上捩られることがない。
【００１１】
回転シートは、前向き位置から後向き位置への回転方向及び後向き位置から前向き位置への回転方向がそれぞれ規定され、回転シートの部品が周辺部品と接触することを回避することができ、周辺部品である操作レバーの誤操作を防止できると共に、回転シート及び周辺部品の配置等の設計の自由度を高めることができる。
【００１２】
回転シートは、１８０度回転した前向き位置及び後向き位置にて規制部材が当接部材の一方に当接して位置決めされるので、回転シートの回転位置での固定操作が確実かつ容易となる。
【００１３】
請求項２に係る本発明によると、回転シートは、支持装置により後方側の上位置にある状態で、操作具により固定を解除して前向き位置又は後向き位置に回動が可能になるので、回転シートは、周辺部品との干渉の少ない高い位置で回転させることができる。
【図面の簡単な説明】
【００１４】
【図１】回転シートを前向き位置にした状態のトラクタの運転席部分を示す斜視図。
【図２】回転シートを後向き位置にした状態のトラクタの運転席部分を示す斜視図。
【図３】回転シートを示す斜視図。
【図４】前方側低位置にある回転シートの支持装置を示す斜視図。
【図５】後方側高位置にある上記支持装置を示す斜視図。
【図６】上記支持装置の背面図。
【図７】前方側低位置にある回転シートの支持装置を示す側面図。
【図８】前方側低位置において回転シートに前方向の荷重が作用した状態を示す側面図。
【図９】前向き位置にある回転シートを示す側面図。
【図１０】後方側高位置にある回転シートの支持装置を示す側面図。
【図１１】後向き位置にある回転シートを示す側面図。
【発明を実施するための形態】
【００１５】
以下、作業車両としてトラクタを適用した本発明の実施の形態について説明する。トラクタは、図１及び図２に示すように、運転席２を備えており、運転席２は、前輪及び後輪に支持された走行機体３に配置されている回転シート５を有している。該走行機体３の前方には、図示しないフロントローダが配置され、かつ後方にはバックホーが配置されており、前記回転シート５を前向き位置にした状態でトラクタの走行操作及びフロントローダの操作を行い、該回転シート５を後向き位置にした状態でバックホーの操作を行う。また、該回転シート５の左右部分における走行機体３には、ポジションコントロールレバー６、外部油圧切換えレバー７、リヤＰＴＯレバー９、ミッドＰＴＯレバー１０等の各操作部（周辺部品）が配置されている。また、回転シート５の上方を囲むよう、ロプス１１が走行機体３に固定して配置されている。
【００１６】
前記回転シート５は、支持装置１２により、図１に示す前方側低位置と図２に示す後方側低位置とに移動自在に支持されており、かつ図３に示すように、上記支持装置１２の上フレームに固定された支持台１３に、縦軸１４（図７等に線で表記）により回転自在に支持された旋回台１５に配置されている。旋回台１５の上面と回転シート５との間には前後方向に延びるガイドレール１７，１７が配置されており、回転シート５は、旋回台１５に対して前後方向に移動自在にかつスライドレバー１９により適宜前後位置にて固定し得る。また、旋回台１５には、幅方向に（具体的には左方向に）突出して回転ロック解除レバー（操作具）２０が設けられており、該ロックレバー２０により図示しない係合部材を操作して、該係合部材を、支持台１３に設けられた切欠きに係合して、回転シート５を前向き位置又は後向き位置にて固定し得る。
【００１７】
前記支持台１３の上面周辺部における上記縦軸１４を挟んだ１８０度反対側には、それぞれ当接部材２２，２２が上方に突出して設けられており、前記旋回台１５の下面周辺部１箇所には、１個の規制部材２１が下方に突出して設けられている。該２個の当接部材２２，２２のいずれか一方が前記１個の規制部材２１に当接する位置が、前記回転シート５を前向き位置となるように規定され、上記２個の当接部材の他方が前記１個の規制部材２１に当接する位置が、前記回転シート５を後向き位置となるように規定される。従って、回転シート５は、前向き位置と後向き位置との間の１８０度に回転範囲が規制され、その回転方向はそれぞれ周方向に規定される。即ち、回転シート５を前向き位置から後向き位置へ回転する場合、上方からみて反時計方向となり、後向き位置から前向き位置に回転する場合、時計方向となる。なお、支持台１３に１個の規制部材を設け、旋回台１５に１対の当接部材を設けてもよい。
【００１８】
そして、回転シート５は、図示しない係合部材が切欠きに係合して回転を阻止されている係止状態からロック解除レバー２０の操作により該係止状態を解除して、回転可能となり、作業者が走行機体３から降りた状態で回転シート５を回転する。一般に、作業者は、走行機体３の左側において、回転シート５の左前方にあるロック解除レバー２０を操作することにより係止を解除して、該回転シート５の前方が作業者側に向くように回転する。即ち、回転シート５が前向き位置にある場合、上方からみて反時計方向に、回転シートが後向き位置にある場合、時計方向に回転する。そして、前記２個の当接部材２２のいずれか一方が１個の規制部材２１に当接して、回転シート５が前向き位置又は後向き位置に位置決めされた状態で、係止部材が係止されてロックされる。この際、ロック解除レバー２０で前向き位置又は後向き位置にロック操作することがあっても、上記規制部材と当接部材の位置決め位置と一致しており、容易かつ確実に操作することができる。
【００１９】
なお、ロック解除レバー２０は、回転シート５の前面（座面の膝方向）に突出するように設けてもよい。即ち、ロック解除レバー２０は、シートの前面若しくは限りなく前面に近い位置に配置することにより、該レバーを座面の左右いずれかの方向に突出するように配置するものに比し、シートを回転するために走行機体の左右いずれか一方に作業者が位置した状態で、回転シートを前向き位置から後向き位置又は後向き位置から前向き位置に操作が可能となり、シートの回転操作が容易となる。
【００２０】
前記支持装置１２は、図４ないし図６に示すように、走行機体３に固設されたシートフレーム２５と、上記旋回台１５を回転自在に支持する支持台１３との間に配置されている。該支持装置１２は、上記シートフレーム２５に固定され、かつ前後方向に延びる１対の下アングル部材２６，２６と、上記支持台に固設され、かつ前後方向に延びる１対の上アングル部材２７，２７と、これら上下アングル部材２６，２７の前方部分を連結する左右１対のアーム部材２９，２９と、後方部分に配置される傾斜板３０と、を有する。上記アーム部材２９の両端は、左右の下アングル部材２６及び上アングル部材２７にそれぞれ掛け渡された下軸２４及び上軸２８に連結され、上アングル部材２７の前方部分を下アングル部材２６に対して前方側下位置及び後方側上位置の間に揺動自在に支持する。
【００２１】
上記左右の上アングル部材２７，２７は、その前後部分をそれぞれ連結プレート３１，３２で連結されている。後連結プレート３２には、ブラケット３３，３３により軸３５が支持されており、該軸３５の左右部分にはゴム等の弾性部材からなる左右１対のローラ３６，３６が回転自在に支持され、かつその中央部分にはアーム３７がその先端部を自由端して回転自在に支持されている。前記傾斜板３０は、左右の下アングル部材２６，２６の後部間部分にて下端部がシートフレーム２５に一体に固定され、かつ上方に向けて後方に延びるように配置されている。正確には図７に詳示するように、該傾斜板３０の下部分は、前方側低位置における支持装置１２の余裕スペースを得るため大きな傾斜角の立上部３０Ａとなっており、その上方部分は、滑らかにローラ３６を案内して後方側高位置に導くために緩い勾配のガイド部３０Ｂとなっている。更に、該傾斜板３０の上端部分は、略々水平方向（正確には僅かに後向き傾斜）に後方に延びて、後方側高位置にて上記ローラ３６，３６を載せて支持する支持部３０Ｃとなっている。
【００２２】
上記傾斜板３０の左右中央部分には、上下（前後）方向に延びるスリット３０Ｄが形成されており、該スリット３０Ｄには前記アーム３７が嵌挿されている。該アーム３７の自由端となっている先端部分には、ロールピン等のピン３９が左右方向に貫通して固定されており、支持装置１２の後端部が傾斜板３０から抜け出して回転シートが前方に倒れ込むことを防止している。なお、上記アーム３７は、軸３５に対してＥリングを用いて横振れを防止してもよいが、この場合、軸３５にリング溝を形成するため軸強度が低下する虞があり、また部品点数の増加及び組立工数の増加の問題もある。本実施の形態にあっては、図４及び図５に示すように、連結プレート３２の中央部後面に凹溝３２ａを形成して、該凹溝３２ａに上記アーム（倒れ防止プレート）３７を係合することにより、アーム３７の軸方向移動（横振れ）を防止している。これにより、上記問題の解決を図っている。
【００２３】
前記左右の下アングル部材２６，２６の間にあって前記傾斜板３０の前方部分におけるシートフレーム２５上には、３個のコイルスプリングからなるサスペンションスプリング４０，４０，４０が左右方向に並んで設けられている。これらのスプリング４０は、回転シートが前方側低位置にある場合、支持台１３に後方部分に当接して、回転シートを弾性懸架する。これらスプリング４０の下端は、シートフレーム２５に固定されているが、これらスプリング４０の下端を支持するプレートをシートフレーム２５に対して機体前後方向移動自在に設け、該スプリングの前後調整により回転シートのサスペンション荷重を変更するようにしてもよい。
【００２４】
従って、支持装置１２は、固定部材である下アングル部材２６に対して回転シートの支持部である上アングル部材２７が、その前方をアーム部材２９で揺動自在に支持され、その後方を傾斜板３０上方をローラ３６が案内されることにより、前方側低位置と後方側高位置とに移動自在となっており、かつ前方側低位置にて前側ロック装置４５にて、後方側高位置にて後側ロック装置６０にて固定・保持される。
【００２５】
前側ロック装置４５は、左右下アングル部材２６，２６の前方部分に亘って回転自在に支持される操作軸４６を有しており、該操作軸４６には、その中央部分に前方に突出してＵ字状の操作レバー４７が固定され、かつその左右部分に上方に突出して１対のフック４９，４９が固定されている。該フック４９と前記下軸２４に設けられたブラケットとの間にスプリング５０が張設されており、フック４９の係合部４９ａが係合する方向に付勢している。該フック４９は、図５に示すようにその先端部４９ｂが傾斜面からなり、また凹溝４９ｃに、下アングル部材２６，２６に掛け渡されたフック４９（図７参照）が係合して、その可動範囲が規制されている。一方、前記左右アーム部材２９，２９の中間部に亘って中間軸５１が掛け渡されており、該中間軸５１が前記フック４９の係合部４９ａに係合する被係合部材となる。
【００２６】
支持装置１２が、前方側低位置に倒されると、中間軸５１がフック４９の先端部４９ｂに当接して、該フック４９をスプリング５０に抗して回動し、中間軸５１は先端部４９ｂを通過した状態で、フック４９は、スプリング５０により回動してその係合部４９ａに該中間軸５１を係合する。従って、回転シート５を前向き位置として、支持装置１２を前方側下位置方向に移動した状態で、作業者が上記回転シート５に座ると、自動的に前側ロック装置４５がロックされる。この状態は、図４に示すように、アーム部材２９は前方に倒れ、中間軸５１は、左右下アングル部材２６，２６に形成された凹部２６ａに支持され、かつ上記フック４９の係合部４９ａに係合・保持されて、上アングル部材２７即ち回転シートは、前記上軸２８を中心に回動自在の状態となる。そして、回転シートの後端部はサスペンションスプリング４０に当接して、該シートに座った作業者を弾性支持する。
【００２７】
図４，図７に詳示するように、前記下アングル部材２６に回転阻止されている下軸２４の下部に上方に突出して固定された１対のブラケット５２，５２と前記アーム部材２９に回転阻止されている中間軸５１の上部に上方に突出して固定された１対のブラケット５３，５３との間に、それぞれスプリング５５，５５が張設されている。これらスプリング５５は、アーム部材２９，２９を、回転シートをその重力に抗して立上り方向に付勢する。
【００２８】
従って、作業者は、回転シート５に前向きに座った状態から立上りつつ、また走行作業機の側方において、操作レバー４７を下方に向けて操作すると、フック４９がスプリング５０に抗して回動して、中間軸５１の係止を解放する。これにより、上記スプリング５５が回転シート５の重量荷重に抗して上方に立上り、作業者による回転シートの移動操作を助勢して、支持装置１２は、回転シートを前方側低位置から後方側高位置に移動する。
【００２９】
前記後側ロック装置６０は、図６及び図７に示すように、前記傾斜板３０の背面に配置され、該傾斜板をシートフレーム２５に一体に固定する強度部材であるバックプレート６１に設けられている。一体の傾斜板３０及びバックプレート６１にブラケットを介して操作軸６２が支持されており、該操作軸６２の中央部分には左右１対のフック６３及びその間の中央部分にＵ字状の操作レバー６５が回動自在に支持され、かつこれらフック６３及び操作レバー６５は一体に回動し互いに固定されている。操作レバー６５と傾斜板３０との間にはスプリング６６が縮設されており、操作レバー６５及びフック６３を係合する状態に付勢している。フック６３は、前記ローラ３６，３６を支持する軸３５を係合し得る形状の係合部６３ａ及び該係合部に上記軸３５を導く形状の傾斜部６３ｂを有している。
【００３０】
上記支持装置１２を後方側高位置に移動する際、ローラ３６，３６が傾斜板３０のガイド部３０Ｂに案内されて斜め上方に移動し、該傾斜板の支持部３０Ｃに至ると、該支持部３０Ｃが僅かに後方に向って下り勾配となっていることに助勢されて、上記軸３５が傾斜部６３ｂに当接することによりフック６３はスプリング６６に抗して回動して、該軸３５を係合部６３ａに受入れる。これにより、回転シートを後方側高位置に移動することにより、フック６３は自動的に回動して、支持装置１２の後端部である軸３５を係合・保持し、かつこの状態ではローラ３６，３６が傾斜板３０の支持部３０Ｃに保持されて、支持装置１２即ち回転シートが後方側高位置に保持される。
【００３１】
該後方側高位置から支持装置１２を移動する場合、作業者は、走行機体の側方において操作レバー６５を下方に向けて操作すると、フック６３は回動して軸３５のロックを解除する。この状態で、回転シート５を前方側低位置に向けて移動すると、ローラ３６が傾斜板３０に案内されて移動する。
【００３２】
本作業車両（トラクタ）は、以上のような構成からなるので、該トラクタを操向操作又はフロントロード操作する場合、回転シート５は、図１，図７，図９に示すように、前方側低位置にあってかつ前向き位置にある。この状態では、支持装置１２は、アーム部材２９が前方に倒れると共に、後部がサスペンションスプリング４０で弾性支持された状態で、前側ロック装置４５によりロックされており、かつ回転シート５は、前向き位置に位置決め、係止された状態にある。この状態で、作業者は、回転シート５に座って、トラクタの走行操作又はフロントローダの操作を行う際、作業者は、前傾姿勢となるが、図８に示すように、アーム３７の先端ピン３９が抜止めされている範囲で、シート５は前傾して作業者は楽な姿勢で作業が可能となる。しかし、作業者が過度に前荷重としたり又はシートベルト７０から作業者による前方向慣性が作用して、該回転シート５に、アーム上軸２８を中心に前倒れ方向のモーメントが作用しても、アーム３７先端に設けられた抜止めピン３９が傾斜板３０のスリット３０Ｄに引っ掛って、回転シート５が前倒れをすることは阻止されている。
【００３３】
上記支持装置１２を、前方側低位置から後方側高位置に向けて移動する場合、作業者は、走行機体３から降りて、一般的には左側から前側ロック装置４５の操作レバー４７を操作する。該操作により、フック４９が中間軸５１のロックを解除され、支持装置１２は、立上り方向に付勢されるスプリング５５の付勢力と、作業者が操作レバー４７を持って移動する力が相俟って、支持装置１２は、図５に示す後方側高位置方向に移動される。この際、支持装置１２の前部は、アーム部材２９，２９が立上り状態となり、後部は、ローラ３６が傾斜板３０からガイド部３０Ｂに案内されて上昇し、支持部３０Ｃに持上げられる。これにより、後側ロック装置６０は、フック６３がスプリング６６により軸３５を自動的に係合し、該後方側高位置に位置決め保持される。
【００３４】
この状態で、作業者は、走行機体３の左側方からロック解除レバー２０を操作して回転シート５のロックを解除し、回転シート５を座面が手前方向になるように回転し、１８０度回転した後向き位置になると、旋回台１５に設けられた規制部材２１が支持台１３に設けられ１対の当接部材２２の一方に当接して位置決めされ、この状態でレバー２０を操作するか又は自動的に回転シート５はロックされ、図２及び図１０に示す状態となる。この状態で、作業者は該回転シート５に座ってバックホーを操作する。
【００３５】
また、該回転シート５を前向き姿勢、前方側低位置に移動するには、作業者は同じく走行機体の左側方に立って、支持装置１２が後方側高位置にある状態で、ロック解除レバー２０を操作して回転シート５を回転する。この際、上記規制部材２１と当接部材２２の一方との当接により、回転シート５は、同じく座面が手前方向になる方向にしか回転することはできず、回転シートを同じ回動範囲で回転して、規制部材２１が他方の当接部材２２に当接した前向き位置にて係止される。
【００３６】
従って、回転シート５は、支持装置１２が高位置にある状態で、かつ同じ回動範囲で回転するので、回転シート５自体、スライドレバー１９及びシートベルト７０等の部品が、走行機体３に配置された操作レバー６，９等に当ることはなく、操作レバーを誤操作することなく容易に回転操作することができ、かつ回転シート及び周辺部品の設計の自由度を向上し得る。
【００３７】
そして、該回転シート５が前向き位置に係止された状態で、操作レバー６５を操作することにより後側ロック装置６０のロックを解除し、シートを前下方に操作力を作用することにより、支持装置１２を前方低位置に移動する。これにより、アーム部材２９が前方に倒れると共に、ローラ３６が傾斜板３０に案内されて前下方に移動し、フック４９が、その先端部４９ｂ及びスプリング５０により中間軸５１を自動的に係止し、支持装置１２は、前側ロック装置４５により該前方側低位置に位置決め保持される。
【００３８】
従って、支持装置１２を該前方側低位置に移動する際、前向きに固定された回転シート５を上から押さえつけることにより、前側ロック装置４５は操作レバー４７を操作することなく自動的にロックされる。フック４９の係合が完全でない場合では、作業者が回転シート５に座ることにより、フック４９は中間軸５１を確実に係止する。
【００３９】
また、前側ロック装置４５の操作レバー４７及び後側ロック装置６０の操作レバー６５は、共に支持装置１２の幅方向中央に位置し、かつＵ字形状からなるので、作業者は、走行機体３の左右どちら側に座っても容易に操作が可能である。また、両操作レバー４７，６５は、回転シート５の近い位置に配置されているので、操作が容易であり、かつ着座側からでも操作が可能である。
【００４０】
なお、上述した実施の形態は、トラクタに適用され、回転シートは、前向き姿勢で前方側低位置にあり、後向き姿勢で後方側高位置にあるが、これに限らず、単に回転するだけ等の他の実施の形態にも同様に適用可能である。
【符号の説明】
【００４１】
２      運転席
３      走行機体
５      回転シート
１２      支持装置
１３      支持台
１４      縦軸
１５      旋回台
２０      操作具（回転ロック解除レバー）
２１      規制部材
２２      当接部材
【図１】
2014015065.tif 000003
【図２】
2014015065.tif 000004
【図３】
2014015065.tif 000005
【図４】
2014015065.tif 000006
【図５】
2014015065.tif 000007
【図６】
2014015065.tif 000008
【図７】
2014015065.tif 000009
【図８】
2014015065.tif 000010
【図９】
2014015065.tif 000011
【図１０】
2014015065.tif 000012
【図１１】
2014015065.tif 000013